(57)【要約】【課題】  トリガー線の取り付け作業の効率がよくなり、かつ枝管の割れの発生を少なくできるショートアーク放電ランプ及び光源装置を提供することを課題とする。【解決手段】  管内に一対の電極が対向して設けられた発光管と、前記発光管に連接して設けられた枝管と、前記枝管の外周に沿って設けられ、導電性材料から構成されたトリガー線と、を備えたショートアーク放電ランプにおいて、前記トリガー線が、直線部と、開放部を有する前記枝管保持用の曲線部とからなるようにショートアーク放電ランプを構成する。【選択図】  図１
2007073436.tif 000002
【特許請求の範囲】
【請求項１】
管内に一対の電極が対向して設けられた発光管と、
前記発光管に連接して設けられた枝管と、
前記枝管の外周に沿って設けられ、導電性材料から構成されたトリガー線と、を備えたショートアーク放電ランプであって、
前記トリガー線は、直線部と、開放部を有する前記枝管保持用の曲線部とから構成されていること
を特徴とするショートアーク放電ランプ。
【請求項２】
前記トリガー線は、前記曲線部の端部にＲ形状を有すること
を特徴とする請求項１に記載のショートアーク放電ランプ。
【請求項３】
前記トリガー線は、前記曲線部を２箇所に有し、それぞれの開放部が対向するように構成されていること
を特徴とする請求項１に記載のショートアーク放電ランプ。
【請求項４】
管内に一対の電極が対向して設けられた発光管と、前記発光管に連接して設けられた枝管と、前記枝管の外周に沿って設けられ、導電性材料から構成されたトリガー線とを備えたショートアーク放電ランプと、前記発光管からの光を反射する反射鏡と、を備えた光源装置であって、
前記トリガー線は、直線部と、開放部を有する前記枝管保持用の曲線部とから構成されていること
を特徴とする光源装置。
【発明の詳細な説明】
【技術分野】
【０００１】
本発明は、ショートアーク放電ランプ及びこのランプを使用した光源装置に関し、特にそのショートアーク放電ランプに取り付けるトリガー線の形状に関する。
【背景技術】
【０００２】
従来、民生用テレビのリアプロジェクターや、会議・教育機関などで使用するフロントプロジェクターの光源には、より連続発光成分が多く、光源サイズが小さく、そして輝度の高いプロジェクター向けの光源に適した特性を備えている超高圧水銀ランプ(ショートアーク型)が主に用いられている。しかしながら、ランプに封入するガスの圧力が高くなるにつれて、ランプ点灯時の始動電圧（絶縁破壊電圧）が高くなり、ランプの信頼性が低下し、コストが高くなるという問題が生じていた。
【０００３】
超高圧水銀ランプ(ショートアーク型)において、ランプの信頼性を高め、低コスト化を行うためには、ランプ点灯時の始動電圧（絶縁破壊電圧）を低くする必要がある。そのため、ランプ点灯時の始動電圧を下げるために、図１０に示すような、枝管１０２の最大外径より大きいリング部１０６ａを有するトリガー線１０６を用いたショートアーク放電ランプ１１０が知られている。
【０００４】
ここで、図１０（ａ）を用いて、ショートアーク放電ランプ１１０において、ランプ点灯時の始動電圧を下げるため動作原理を説明する。まず始めに、ランプに電圧を印加すると、超高圧水銀ランプ(ショートアーク型)の枝管部１０２のガラス側面とトリガー線１０６のリング部１０６ａと間でコロナ放電が起こる。そして、この放電により電磁波が発生し、この電磁波が陽電極１０３ａへ到達し光電効果が生じる。この光電効果により、陽電極１０３ａから電子が放出され、陽電極１０３ａと陰電極１０３ｂとの間の絶縁破壊電圧（始動電圧）が低下する。
【０００５】
このように枝管１０２の最大外径より大きいリング部１０６ａを有するトリガー線１０６を用いたショートアーク放電ランプ１１０では、トリガー線１０６を枝管１０２に取り付ける時の作業性を向上させることができる。また、枝管径よりも大きいリング径を有するトリガー線であるため、外部で予めトリガー線１０６を作製し、ランプの組立時に枝管１０２へ装着して固定する事ができる。しかしながら、このようなリング径を有するトリガー線１０６の場合は、図１０（ｂ）のランプの断面図に示すように、枝管１０２とリング部１０６ａとの間に隙間が生じるため、枝管１０２とトリガー線１０６との間で発生するコロナ放電のロスが大きく、ランプ点灯時の始動電圧を効率よく低くすることができないという問題がある。
【０００６】
そこで、図１１の断面図に示すように、枝管部１０２のガラス側面とトリガー線１０６のリング部１０６ａとを密着させることで、枝管１０２とトリガー線１０６との隙間を無くし、コロナ放電のロスを少なくするショートアーク放電ランプが知られている（特許文献１参照）。これによれば、枝管１０２の外周に沿ってトリガー線１０６を密着させることで、枝管１０２とリング部１０６ａとの隙間を無くすことにより、コロナ放電の規模を大きくし、ランプ点灯時の始動電圧を効率よく低くすることができる。
【０００７】
【特許文献１】特開２００２−６３９９２号公報
【発明の開示】
【発明が解決しようとする課題】
【０００８】
しかしながら、このショートアーク放電ランプでは、枝管１０２に対して、直接トリガー線１０６を巻きつける必要があるため、トリガー線１０６を枝管１０２に取り付ける際の作業効率が悪く、コストが悪化するという問題がある。さらには、枝管１０２の全周にトリガー線１０６を巻きつけて密着させているため、異なる材質で構成されている枝管１０２とトリガー線１０６との間で熱膨張率が異なることが原因となり、リング部１０６の縮小や、枝管１０２の膨張などで、枝管１０２に割れ等が発生し、放電ランプの信頼性が低下するという問題がある。
【０００９】
本発明は、上述の問題点を考慮し、トリガー線の枝管への取り付け作業の効率がよくなり、かつ枝管の割れの発生が少ないショートアーク放電ランプ及び光源装置を提供することを課題とするものである。
【課題を解決するための手段】
【００１０】
上記の課題を解決するために、本発明に係るショートアーク放電ランプは、管内に一対の電極が対向して設けられた発光管と、前記発光管に連接して設けられた枝管と、前記枝管の外周に沿って設けられ、導電性材料から構成されたトリガー線と、を備えた放電ランプであって、前記トリガー線は、直線部と、開放部を有する前記枝管保持用の曲線部とから構成されるものである。
【００１１】
好ましくは、本発明に係るショートアーク放電ランプの前記トリガー線は、前記曲線部の端部にＲ形状を有することが適当である。
【００１２】
さらに好ましくは、本発明に係るショートアーク放電ランプの前記トリガー線は、前記曲線部を２箇所に有し、それぞれの開放部が対向するように構成されていることが適当である。
【００１３】
また、本発明に係る光源装置は、管内に一対の電極が対向して設けられた発光管と、前記発光管に連接して設けられた枝管と、前記枝管の外周に沿って設けられ、導電性材料から構成されたトリガー線とを備えたショートアーク放電ランプと、発光管からの光を反射する反射鏡と、を備えた光源装置であって、前記トリガー線は、直線部と、開放部を有する前記枝管保持用の曲線部とから構成されるものである。
【００１４】
本発明のショートアーク放電ランプ及び光源装置では、トリガー線に設けられた開放部から枝管を挿入し、枝管にトリガー線を取り付けることができる。また、開放部を備えた曲線部が有する弾性によって、熱膨張係数の違いで生じる枝管とトリガー線との間の歪みを吸収する。
【発明の効果】
【００１５】
本発明に係るショートアーク放電ランプによれば、トリガー線を枝管に取り付ける際の作業の効率を良くすることができる。また、電流を流した際に枝管に発生する割れを少なくすることができる。
【００１６】
本発明に係る光源装置によれば、光源装置に使用するショートアーク放電ランプにおけるトリガー線を枝管に取り付ける際の作業の効率を良くすることができる。また、電流を流した際に枝管に発生する割れを少なくすることができる。
【発明を実施するための最良の形態】
【００１７】
以下、本発明に係るショートアーク放電ランプを実施するための最良の形態について、図面を参照して説明するが、本発明は以下の形態に限定されるものではない。また、本発明に係るショートアーク放電ランプを用いた光源装置については、ショートアーク放電ランプと併せて説明する。
【００１８】
図１は、本発明の第１の実施の形態に係るショートアーク放電ランプの概略構成図を示したものである。
図１に示すように、本実施の形態に係るショートアーク放電ランプ１０は、球形の発光管１に、左右対称の枝管２ａ、２ｂが連接されている。発光管１の管内には、一対の電極３ａ、３ｂが対向するように設けられている。また、枝管２ａ，２ｂの内部には、例えば、Ｍｏで構成された薄い金属板４ａ、４ｂが配置されている。なお、本実施形態における発光管１は、例えば石英ガラスから構成された略球形状の透明性容器であり、容器内は放電空間となっている。また、枝管部２ａ，２ｂは、例えば、石英ガラスから構成されており、その断面外形は、図２に示すように略円形である。
【００１９】
一対の電極である陽電極３ａ、陰電極３ｂは、枝管２ａ、２ｂの内部に設けられた薄い金属板４ａ，４ｂを介して、外部リード線５ａ、５ｂに接続されている。
【００２０】
また、導電性材料、例えば白金線からなるトリガー線６は、直線部６ａと曲線部６ｂとから構成されている。トリガー線６の曲線部６ｂを有する側の端部は、陽電極３ａが配置されている枝管２ａの外周に取り付けられている。一方、トリガー線６の直線状の端部は、陰電極３ｂと接続している外部リード線５ｂに接続されている。
【００２１】
一対の電極３ａ、３ｂに電気的に接続された外部リード線５ａ，５ｂは、配線９ａ，９ｂを介して、点灯回路８に電気的に接続されている。点灯回路８は、始動用の高圧パルス電圧（始動電圧）、および点灯用の駆動電圧（点灯電圧）を出力することができ、電源７に電気的に接続されている。より詳細に言えば、点灯回路８は、ランプの始動時には、高圧パルス電圧を出力し、その後、点灯動作中には、所定値以上の電流が放電ランプ１０に流れないように電流を制御するように構成されている。そして、点灯回路８によって始動電圧が印加されると、トリガー線６と電極３ａ、３ｂとが絶縁状態から導通状態へ変化して、放電ランプ１０が点灯する。
【００２２】
なお、本発明でいうショートアーク放電ランプとは、封入ガスとしてＸｅ・Ｋｒ・Ａｒやそれらの混合ガスのいずれかを選択した放電ランプ又はそれらのガスをバッファーガスとし、水銀・ハロゲン化金属のいずれか又はその複数を封入した放電ランプのことを言う。電極間距離は、例えば数ｍｍ程度から１０数ｍｍ程度までである。
【００２３】
図２は、図１中のＡ−Ａ線で切断した放電ランプの断面図である。
図２に示すように、トリガー線６の直線部６ａから延びる曲線部６ｂが、枝管２ａの外周面に沿うようにして、枝管２ａに取り付けられている。曲線部６ｂは、枝管２ａの表面と隙間が生じないように巻き付けられており、上方へ向いた開放部６ｄが形成されるように、枝管２ａの下部に沿って巻きつけられている。なお、トリガー線６を巻きつける際には、放電の効率性を考慮して、枝管２ａの内部に配置された金属板４ａと曲線部６ｂとの距離ｒがなるべく近くなることが望ましい。
【００２４】
また、トリガー線６の端部、すなわち曲線部６ｂの先端部付近には、Ｒ形状を有するＲ端部６ｃが形成されている。ここで、トリガー線６の端部が直線状であると、トリガー線６を枝管２ａに取り付ける際に、端部が枝管の表面に接触して、枝管を傷つけてしまう場合があるが、このように端部をＲ形状で構成することにより、枝管２ａを傷つけることなく、トリガー線６を取り付けることができる。
【００２５】
図３（ａ）は、本発明の一実施形態に係る放電ランプに使用するトリガー線の概略構成図である。また、図３（ｂ）は、図３（ａ）中のＡ方向から見たトリガー線の概略構成図である。
【００２６】
図３（ａ）に示すように、トリガー線６は、第１の直線部６ａ−１、第２の直線部６ａ−２、及び曲線部６ｂとから構成されている。第１の直線部６ａ−１は、放電ランプ１０の枝管２ｂに平行となるように形成され、第２の直線部６ａ−２は、第１の直線部６ａ−１と直角となるように形成されている。さらに、第２の直線部６ａ−２の先端には、枝管２ａを保持するための曲線部６ｂが形成され、この曲線部６ｂの先端部にはＲ端部６ｃが設けられている。
【００２７】
また、図３（ｂ）に示すように、曲線部６ｂは、枝管２ａの外径よりも小さい外径を有するＵ字形状となるように構成されており、Ｕ字形の上部で開放部６ｄが形成されている。なお、トリガー線６の枝管２ａの保持力を向上させるために、直線部６ａ−２と曲線部６ｂの境目及びＲ端部６ｃ付近に、曲線部６ｂの外形を局部的に小さくするための凸部６ｅを設けてもよい。
【００２８】
なお、本実施形態のトリガー線６は、成型用の金型棒にトリガーワイヤーを巻きつけることにより、所望の形状に成型される。
【００２９】
このように、本実施の形態のトリガー線６によれば、曲線部６ｂを枝管２ａの外径よりも小さい外径を有するように形成しているので、トリガー線６を、隙間無く枝管２ａの外周に密着させて取り付けることができる。すなわち本実施形態のショートアーク放電ランプ１０によれば、トリガー線６を枝管２ａに隙間なく密着させて取り付けることができるので、コロナ放電のロスを少なくし、ランプ点灯時の始動電圧を効率よく低くすることができる。
【００３０】
また、本実施の形態のトリガー線６によれば、曲線部６ｂをＵ字形状で形成し、曲線部に開放部６ｄを設けて弾性を持たせているので、トリガー線６を枝管２ａに取り付ける際の作業性の効率をよくするとともに、枝管２を保持する保持力を向上させることができる。
【００３１】
図４は、本発明の第２の実施の形態に係るショートアーク放電ランプの概略構成図を示したものである。なお、図４において、図１と対応する部分には同一の符号を付して説明を省略する。
【００３２】
図４に示すように、本実施の形態に係るショートアーク放電ランプ１０では、枝管２ｂを保持する第１保持部６αと、枝管２ａを保持する第２保持部６βとが、トリガー線６に形成されている。また、トリガー線６には、第１保持部６αの第１曲線部６ｂ−１と、第２保持部６βの第２曲線部６ｂ−２とを連結する第３の直線部６ａ−３が形成されている。
【００３３】
図５（ａ）は、図４中のＡ’−Ａ’線で切断した放電ランプの断面図である。また、図５（ｂ）は、図４中のＡ−Ａ線で切断した放電ランプの断面図である。
【００３４】
図５（ａ）に示すように、第１保持部６αにおいては、トリガー線６の第２の直線部６ａ−２から延びる第１曲線部６ｂ−１が、枝管２ｂの表面との間に隙間が生じないように、枝管２ｂの外周面に沿うようにして設けられている。また、第１曲線部６ｂ−１は、上方に向いた開口を有する開放部６ｄ−１を形成するために、枝管２ｂの全周ではなく、下部の一部に沿うようにして設けられている。
【００３５】
また、図５（ｂ）に示すように、第２保持部６βにおいては、トリガー線６の第３直線部６ａ−３から延びる第２曲線部６ｂ−２が、枝管２ａの表面との間に隙間が生じないように、枝管２ａの外周面に沿うようにして形成されている。また、第２曲線部６ｂ−２は、下方に向いた開口を有する開放部６ｄ−２を形成するために、枝管２ａの上部の一部に沿うようにして設けられている。
【００３６】
なお、トリガー線６の曲線部を有する側の端部、すなわち第２曲線部６ｂ−２の先端部付近には、Ｒ形状を有するＲ端部６ｃが形成されている。また、トリガー線６を枝管に巻きつける際には、放電を効率よく発生させるために、枝管２ａ，２ｂの内部に配置された金属板４ａ、４ｂとトリガー線とがなるべく近くなることが望ましい。
【００３７】
図６（ａ）は、本発明の第２の実施形態に係るショートアーク放電ランプに使用するトリガー線の概略構成図である。図６（ｂ）は、図６（ａ）中のＡ方向から見たトリガー線の第１保持部の概略構成図である。図６（ｃ）は、図６（ａ）中のＡ方向から見たトリガー線の第２保持部の概略構成図である。
【００３８】
図６（ａ）に示すように、トリガー線６は、第１の直線部６ａ−１、第２の直線部６ａ−２、第３の直線部６ａ−３と、第１の曲線部６ｂ−１、第２の曲線部６ｂ−２とから構成されている。第１の直線部６ａ−１は、枝管２ｂと平行に沿うように形成され、この第１の直線部６ａ−１と垂直方向になるように第２の直線部６ａ−２が形成されている。第２の直線部６ａ−２には、枝管２ｂを保持するための第１曲線部６ｂ−１が形成されている。また、第１曲線部６ｂ−１には、第１の直線部６ａ−１と平行な第３の直線部６ａ―３が連接し、この第３の直線部６ａ―３には、枝管２ａを保持するための第２曲線部６ｂ−２が形成されている。
【００３９】
図６（ｂ）に示すように、第１曲線部６ｂ−１は、枝管２ｂの外径よりも小さい外径を有するＵ字形状となるように構成されており、Ｕ字形の上部によって、上向きの開口を有する開放部６ｄ−１が形成されている。また、図６（ｃ）に示すように、第２曲線部６ｂ−２は、枝管２ａの外径よりも小さいＵ字形状となるように構成されており、Ｕ字形の上部によって、下向きの開口を有する開放部６ｄ−２が形成されている。すなわち、本実施形態のトリガー線６では、第１曲線部６ｂ−１の開放部６ｄ−１の開口の向きと、第２曲線部６ｂ−２の開放部６ｄ−２の開口の向きとが、互いに対向するように形成されている。
【００４０】
なお、曲線部６ｂ−１における枝管２ｂの保持力、曲線部６ｂ−２における枝管２ａの保持力を向上させるために、それぞれの曲線部６ｂ−１，６ｂ−２の一部に、曲線部の外径を局部的に小さくするための凸形状を設けてもよい。
【００４１】
次に、本実施形態のショートアーク放電ランプ１０に電流を流した際に発生する熱応力の作用について、図７を用いて説明する。
【００４２】
図７（ａ）は、発光体点灯時における図４に示した放電ランプで使用するトリガー線の状態の変化を説明するための図である。図７（ｂ）は、図７（ａ）中のＡ方向から見たトリガー線の第１保持部の概略構成図である。図７（ｃ）は、図７（ａ）中のＡ方向から見たトリガー線の第２保持部の概略構成図である。なお、図７において、図４と対応する部分には、同一の符号を付して説明を省略する。
【００４３】
図７（ａ）に示すように、発光体点灯時にトリガー線６に電流が流れると、トリガー線６のワイヤーが電流によって熱膨張するため、第１保持部６αにおいて、図中の矢印方向に熱応力Ｆ１が発生する。この熱応力Ｆ１は、主にトリガー線の第２の直線部６ａ−２が熱膨張することにより生じる。なお、この際にトリガー線６に作用する力の支点は、陰極電極のリード線５ｂとトリガー線６とを溶接する部分Ｓとなる。また、これと同時に、第２保持部６βにおいては、図中の矢印方向に熱応力Ｆ２が発生する。この熱応力Ｆ２は、主にトリガー線６の第３の直線部６ａ−３が、熱応力Ｆ１によって下方へ押し下げられることにより生じる。
【００４４】
図７（ｂ）に示すように、第１保持部６αにおいて、熱応力Ｆ１は、第１曲線部６ｂ−１を下方向に向って押し拡げるように作用する。また、同時に、熱応力Ｆ１は、第３の直線部６ａ−３を下方向へ押すように作用する。そして、これと連動して、図７（ｃ）に示すように、第２保持部６βにおいて、熱応力Ｆ２は、第２曲線部６ｂ−２を下方向へ押すように作用する。すなわち、第２曲線部６ｂ−２は、枝管２ａの上部に沿うように設けられているので、熱応力Ｆ２によって、第２曲線部６ｂ−２が、枝管２ａに押し付けられる方向に作用するので、結果的にトリガー線６と枝管２ａとが密着するように作用する。
【００４５】
本実施の形態のショートアーク放電ランプ１０によれば、トリガー線の取り付け作業性を向上させることができ、枝管に発生する割れを減少させることができることに加えて、第１保持部６αにおいて、電流を流すことによって発生する熱応力により、トリガー線６が枝管２ｂから外れる方向に働いたとしても、第２保持部６βにおいて、トリガー線６と枝管２ａを密着させることができる。従って、枝管２ａとトリガー線６との間に隙間が生じることがないので、始動電圧を低くすることができる。
【００４６】
次に、従来のショートアーク放電ランプと、本発明によるショートアーク放電ランプとの効果について、図８を用いて説明する。図８は、従来例と本発明に係るショートアーク放電ランプとの効果の比較を示すグラフである。
【００４７】
図８に示すグラフにおいて、縦軸は始動電圧（Ｋｖ）を表し、横軸は従来のショートアーク放電ランプ、第１の実施の形態に係るショートアーク放電ランプ（片引掛け仕様）、及び第２の実施形態に係るショートアーク放電ランプ（両引掛け仕様）を表す。また、評価サンプルとしては、ランプ出力（１００Ｗ）、電極間隔（１．０ｍｍ）、バラスト駆動周波数（９０Ｈｚ）のものを用い、評価器材としてはオシロスコープを使用した。
【００４８】
図８のグラフから明らかなように、従来のランプと比較すると、本実施の形態に係る片引掛け仕様の放電ランプでは、始動電圧で約２．４Ｋｖ，改善率で約２８％の低減効果があることがわかる。また、本実施の形態に係る両引掛け仕様のランプでは、従来のランプに比べ、始動電圧で約２．１Ｋｖ，改善率で約２４％の低減効果があることがわかる。
【００４９】
図９は、本発明に係るショートアーク放電ランプを使用した光源装置の概略構成図である。
図９に示すように、光源装置２０は、反射鏡１１とショートアーク放電ランプ１０とから構成されている。光源装置２０では、反射鏡１１の首部に設けられた穴１２に放電ランプ１０の枝管２ａを挿入することにより、ショートアーク放電ランプ１０に反射鏡１１を固定する。そして、図示しない電源から、配線９を通じてショートアーク放電ランプ１０に電圧が印加されて、発光管１が点灯し、その発光光が、反射鏡１１で反射・集光されて、光源装置２０の外部へ出射される。
【００５０】
なお、本発明に係るショートアーク放電ランプ及び光源装置は、上述の各形態に限定されるものではなく、その他材料、構成等において本発明の構成を逸脱しない範囲において種々の変形、変更が可能であることはいうまでもない。また、本発明に係るショートアーク放電ランプ及び光源装置は、一般的にリアプロジェクターやフロントプロジェクター等に適用されるが、例えば、自動車のヘッドライト等に適用してもよい。
【図面の簡単な説明】
【００５１】
【図１】図１は、本発明の一実施形態に係る放電ランプの概略構成図である。
【図２】図２は、図１中のＡ−Ａ線で切断した放電ランプの断面図である。
【図３】図３（ａ）は、本発明の一実施形態に係る放電ランプに使用するトリガー線の概略構成図である。図３（ｂ）は、図３（ａ）中のＡ方向から見たトリガー線の概略構成図である。
【図４】図４は、本発明の一実施形態に係る放電ランプの概略構成図である。
【図５】図５（ａ）は、図４中のＡ’−Ａ’線で切断した放電ランプの断面図である。図５（ｂ）は、図４中のＡ−Ａ線で切断した放電ランプの断面図である。
【図６】図６（ａ）は、本発明の一実施形態に係る放電ランプに使用するトリガー線の概略構成図である。図６（ｂ）は、図６（ａ）中のＡ方向から見たトリガー線の第１保持部の概略構成図である。図６（ｃ）は、図６（ａ）中のＡ方向から見たトリガー線の第１保持部の概略構成図である。
【図７】図７（ａ）は、発光体点灯時における図４に示した放電ランプで使用するトリガー線の状態の変化を説明するための図である。図７（ｂ）は、図７（ａ）中のＡ方向から見たトリガー線の第１保持部の概略構成図である。図７（ｃ）は、図７（ａ）中のＡ方向から見たトリガー線の第２保持部の概略構成図である。
【図８】図８は、従来例と本発明に係る放電ランプとの効果の比較を示すグラフである。
【図９】図９は、本発明の一実施形態に係る光源装置の概略構成図である。
【図１０】図１０（ａ）は、従来の高圧放電ランプの概略構成図である。図１０（ｂ）は、図１０（ａ）中のＡ−Ａ線で切断した放電ランプの断面図である。
【図１１】図１１は、従来の高圧放電ランプの断面図である。
【符号の説明】
【００５２】
１・・発光管、２ａ、２ｂ・・枝管、３ａ・・陽電極、３ｂ・・陰電極、４ａ、４ｂ・・金属板、５ａ、５ｂ・・リード線、６・・トリガー線、６ａ・・直線部、６ｂ・・曲線部、６ｃ・・Ｒ端部、７・・電源、８・・点灯回路、９ａ、９ｂ・・配線、１０・・放電ランプ、１１・・反射鏡、２０・・光源装置
【図１】
2007073436.tif 000003
【図２】
2007073436.tif 000004
【図３】
2007073436.tif 000005
【図４】
2007073436.tif 000006
【図５】
2007073436.tif 000007
【図６】
2007073436.tif 000008
【図７】
2007073436.tif 000009
【図８】
2007073436.tif 000010
【図９】
2007073436.tif 000011
【図１０】
2007073436.tif 000012
【図１１】
2007073436.tif 000013